(57)【要約】      （修正有）【課題】デザイン性と水切りの良さと吸水性・耐久性を兼ね備え、コストも抑えることができる家庭用水切り用品、コースター、食器用ドライングボード及びバスマットを提供する。【解決手段】容器の外側に付着した水分について吸水及び水切りをするコースター１であって、珪藻土を出発原料に含み繊維質を混入させ蛭石とケイ酸カルシウムを主原料とする厚さ５〜１０ｍｍの平板からなり、平板の表面には、一端から他端まで中央を通って一直線に設けた１本の溝部１１を有し、当該溝部１１が、幅０．５〜１０ｍｍ深さ０．１〜４．０ｍｍであって、平板の表面には、凸部がなく、前記溝部１１以外には端から端まで横切る溝を有しない構成とする。【選択図】図１
0003204281.tif 000002
【実用新案登録請求の範囲】
【請求項１】
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とする家庭用水切り用品。
【請求項２】
容器の外側に付着した水分について吸水及び水切りをするコースターであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とするコースター。
【請求項３】
食器に付着した水分について吸水及び水切りをする食器用ドライングボードであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とする食器用ドライングボード。
【請求項４】
体に付着した水分について吸水及び水切りをするバスマットであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とするバスマット。
【考案の詳細な説明】
【技術分野】
【０００１】
本考案は、家庭用水切り用品に関し、特に、コースター、食器用ドライングボード、バスマットといった、家庭内で水切りや吸水のために使用する家庭用水切り用品に関する。
【背景技術】
【０００２】
従来、コースター、食器用ドライングボード、バスマットといった家庭用水切り用品において、構造が同じものはなかった。コースターでは、布製や木製の主流で、例えば、一部をメッシュにするなど、グラスなどの結露水を吸水させる構造等が開発されている（例えば、特許文献１参照）。食器用ドライングボードは、洗った食器類を載置して水切りを行う板であるが、従来、ステンレス製やプラスチック製の水切りかごなどが主に用いられている。バスマットでは、布製のものが主流で、例えば、マットの繊維の太さ等を工夫して吸水性を高めたもの等が開発されている（例えば、特許文献２参照）。
【先行技術文献】
【特許文献】
【０００３】
【特許文献１】特許第５００１４４３号公報
【特許文献２】特許第３００１６９８号公報
【考案の概要】
【考案が解決しようとする課題】
【０００４】
しかし、特許文献１に記載されたような従来のコースターや、特許文献２に記載されたような従来のバスマット等の家庭用水切り用品では、吸水性は良くても水切り性が悪いか耐久性が悪いという問題があり、それぞれ構造や材質が異なり、求められる耐久性等が異なるため、それぞれ材料調達からデザイン、製造まで別々に行わなければならずコストがかかるという問題があった。
【０００５】
本考案は、上述した従来の問題点を鑑み、デザイン性と水切りの良さと吸水性・耐久性を兼ね備え、コストも抑えることができる家庭用水切り用品を提供することを目的とする。
【課題を解決するための手段】
【０００６】
考案者は、家庭で用いられている、コースター、食器用ドライングボード、バスマットといった家庭用水切り用品が、いずれも水切りや吸水という機能が共通する点に着目し、量産材を利用した共通の材料を用いて、いずれの使用シーンにも適合する構造を見出し、本考案を完成させた。
【０００７】
本考案の第１の態様は、珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とする家庭用水切り用品を提供する。
【０００８】
本考案の第１の態様によれば、デザイン性と水切りの良さと吸水性・耐久性を兼ね備え、コストも抑えることができる。
【０００９】
本考案の第２の態様は、容器の外側に付着した水分について吸水及び水切りをするコースターであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とするコースターを提供する。
【００１０】
本考案の第３の態様は、食器に付着した水分について吸水及び水切りをする食器用ドライングボードであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とする食器用ドライングボードを提供する。
【００１１】
本考案の第４の態様は、体に付着した水分について吸水及び水切りをするバスマットであって、
珪藻土を出発原料に含み繊維質を混入させ蛭石とケイ酸カルシウムを主原料とする厚さ５〜１０ｍｍの平板からなり、
前記平板の表面には、一端から他端まで中央を通って一直線に設けた１本の溝部を有し、
当該溝部が、幅０．５〜１０ｍｍ深さ０．１〜４．０ｍｍであって、
前記平板の表面には、凸部がなく、前記溝部以外には端から端まで横切る溝を有しないことを特徴とするバスマットを提供する。
【考案の効果】
【００１２】
本考案の家庭用水切り用品によれば、デザイン性と水切りの良さと吸水性・耐久性を兼ね備え、コストも抑えることができる。
【図面の簡単な説明】
【００１３】
【図１】本考案の実施例１のコースターの斜視図である。
【図２】本考案の実施例１のコースターの（ａ）平面図（ｂ）右側面図である。
【図３】本考案の実施例１のコースターの細溝の構造を示す概略図である。
【図４】本考案の実施例２のコースターの斜視図である。
【図５】本考案の実施例３の食器用ドライングボードの平面図である。
【図６】本考案の実施例３の食器用ドライングボードのＡ-Ａ線端面図である。
【図７】本考案の実施例４のバスマットの斜視図である。
【考案を実施するための形態】
【００１４】
本考案の好適な実施形態の１つは、容器の外側に付着した水分について吸水及び水切りをするコースターであって、珪藻土を出発原料に含み繊維質を混入させ蛭石とケイ酸カルシウムを主原料とする厚さ５〜１０ｍｍの平板からなり、平板の表面には、一端から他端まで中央を通って一直線に設けた１本の溝部を有し、当該溝部が、幅０．５〜１０ｍｍ深さ０．１〜４．０ｍｍであって、平板の表面には、凸部がなく、前記溝部以外には端から端まで横切る溝を有しないコースターである。平板の厚さは、５ｍｍ未満であると割れ等が生じる可能性があり、１０ｍｍより厚いと収納性が悪くなるため、６ｍｍ程度が好ましい。溝部の幅は、０．５ｍｍより狭いと十分な水切り性が得にくく１０ｍｍより広いとデザイン性に欠けるため、５ｍｍ程度が好ましい。溝部の深さは、０．１ｍｍより浅いと吸水性や水切り効果が低く、４．０ｍｍより深いと割れるおそれがあり、０．５ｍｍ程度が好ましい。全体の大きさは一般的なコースターの大きさ、すなわち、グラス底面よりやや広い面積を有する程度が好ましい。本実施形態によれば、丈夫で、デザイン性と水切りの良さと吸水性・耐久性を兼ね備え、コストも抑えることができる。
【００１５】
本考案の好適な実施形態の他の１つは、食器に付着した水分について吸水及び水切りをする食器用ドライングボードであって、珪藻土を出発原料に含み繊維質を混入させ蛭石とケイ酸カルシウムを主原料とする厚さ５〜１０ｍｍの平板からなり、平板の表面には、一端から他端まで中央を通って一直線に設けた１本の溝部を有し、当該溝部が、幅０．５〜１０ｍｍ深さ０．１〜４．０ｍｍであって、平板の表面には、凸部がなく、前記溝部以外には端から端まで横切る溝を有しない食器用ドライングボードである。平板の厚さは、５ｍｍ未満であると割れ等が生じる可能性があり、５ｍｍ未満であると食器の重さによっては耐久性が悪くなる可能性があり、１０ｍｍより厚いとコンパクト性に欠けるため、９．５ｍｍ程度が好ましい。溝部の幅は、０．５ｍｍより狭いと十分な水切り性が得にくく１０ｍｍより広いとデザイン性に欠けるため、５ｍｍ程度が好ましい。溝部の深さは、０．１ｍｍより浅いと吸水性や水切り効果が低く、４．０ｍｍより深いと割れるおそれがあり、１．０ｍｍ程度が好ましい。全体の大きさは、家庭用の小さめの食器水切りかご程度の大きさが好ましい。本実施形態によれば、丈夫で、デザイン性と水切りの良さと吸水性・耐久性を兼ね備え、コストも抑えることができる。
【００１６】
本考案の好適な実施形態のまた他の１つは、体に付着した水分について吸水及び水切りをするバスマットであって、珪藻土を出発原料に含み繊維質を混入させ蛭石とケイ酸カルシウムを主原料とする厚さ５〜１０ｍｍの平板からなり、平板の表面には、一端から他端まで中央を通って一直線に設けた１本の溝部を有し、当該溝部が、幅０．５〜１０ｍｍ深さ０．１〜４．０ｍｍであって、平板の表面には、凸部がなく、前記溝部以外には端から端まで横切る溝を有しないバスマットである。平板の厚さは、５ｍｍ未満であると割れ等が生じる可能性があり、５ｍｍ未満であると人の体重によっては耐久性が悪くなる可能性があり、１０ｍｍより厚いとコンパクト性に欠けるため、９．５ｍｍ程度が好ましい。溝部の幅は、０．５ｍｍより狭いと十分な水切り性が得にくく１０ｍｍより広いとデザイン性に欠けるため、５ｍｍ程度が好ましい。溝部の深さは、０．１ｍｍより浅いと吸水性や水切り効果が低く、４．０ｍｍより深いと割れるおそれがあり、１．０ｍｍ程度が好ましい。全体の大きさは、家庭用の一般的なバスマットと同程度の大きさが好ましい。本実施形態によれば、丈夫で、デザイン性と水切りの良さと吸水性・耐久性を兼ね備え、コストも抑えることができる。
【００１７】
以下、本考案の家庭用水切り用品の好ましい実施形態について、実施例を用いて具体的に説明する。
【実施例１】
【００１８】
図１は、本考案の実施例１のコースターの斜視図である。図２は、本考案の実施例１のコースターの（ａ）平面図（ｂ）右側面図である。本実施例は、容器の外側に付着した水分について吸水及び水切りをするコースター１であって、珪藻土を出発原料に含み繊維質を混入させ蛭石とケイ酸カルシウムを主原料とする厚さ６ｍｍの平板からなり、平板の表面には、一端から他端まで中央を通って一直線に設けた１本の溝部１１を有し、溝部１１が、幅５ｍｍ深さ０．５ｍｍであって、平板の表面には、凸部がなく、溝部１１以外には端から端まで横切る溝を有しない。コースター１１は、平面視円形であり、直径は１００ｍｍであるが、これに限らない。
【００１９】
本実施例では、珪藻土を出発原料に含み繊維質を混入させ蛭石とケイ酸カルシウムを主原料とする厚さ６ｍｍの平板には、消石灰と珪砂と珪藻土と蛭石とパルプとを含む原料を水と混合して抄造し養生等の処理をして切り出した６ｍｍ厚のボードを切り出して使用した。かかるボードには、軽くて調湿機能を有する珪藻土と蛭石が含有されており、吸水性に優れる。周りの空気が乾燥すると内部に吸収した水分を放出して調湿を行う。また、見かけ密度が０．６〜０．９ｇ／ｃｍ3と軽量なので大型でも取扱いが容易である。
【００２０】
溝部の深さは、０．１ｍｍでも吸水・水切りの効果を奏するが、溝部の深さが０．５ｍｍ〜１．０ｍｍあると、吸水・水切りの効果が高かった。４．０ｍｍの深さまでは使用に問題は生じなかったが、４．０ｍｍを超える深さでは、溝部のところの厚みが薄くなり割れる恐れがある。
【００２１】
図３は、本考案の実施例１のコースターの細溝の構造を示す概略図である。本実施例では、溝部１１と交わらない位置に「ｓ」「ｏ」「ｉ」「ｌ」の文字が装飾的に幅１.０ｍｍ深さ０．８ｍｍで彫り込み加工によって彫られた細溝部１２があるが、細溝部１２はなくてもよい。細溝部１２は端部に接することはなく、全体の平面性を損ねることがない程度の大きさである。
【００２２】
本実施例では、溝部１１、細溝部１２以外は、凸凹がない滑らかな表面を有し、したがって、容器を載置した際に、荷重が全体に渡って分散するので割れにくく耐久性に優れる。また、吸水性に優れた平板と、その上に載置した容器との接触面が広いので、効率よく吸水できる。また同時に、溝部が一筋設けてあることで、載置した容器の外側を伝って大量の水が流下した際に、水滴が載置した容器との接触面で溜まることなく、溝部に流れて、吸水できない分は端部へ導いて流れ出させることができるため、より効率よく水切りができ、さらに溝部が中央に設けてあることで、雑に容器を置いても効果を奏することができるし、複数本設けず、１本のみとすることで水切り性を確保したまま耐久性も保持できる。さらに、壁材用等のため、大型ボードで作られる量産材から大量に切り出すことで、金型製品に比べコストを抑えることができる。さらに、他の家庭用水切り用品と、材料や工程を共有することで、コスト削減が可能となる。
【００２３】
本実施例のコースターによれば、丈夫で、デザイン性と水切りの良さと吸水性・耐久性を兼ね備え、コストも抑えることができる。
【実施例２】
【００２４】
図４は、本考案の実施例２のコースターの斜視図である。本考案の実施例２のコースター１´は、平面視正方形であり、一辺は１００ｍｍであるが、これに限らない。コースター１´では、平板の表面には、溝部１１の代わりに、一辺から対向する辺まで中央を通って一直線に設けた１本の溝部１１´を有する。その他の構成及び効果は、本考案の実施例１のコースター１と同じである。
【実施例３】
【００２５】
図５は、本考案の実施例３の食器用ドライングボードの平面図である。図６は、本考案の実施例３の食器用ドライングボードのＡ-Ａ線端面図である。本実施例は、食器に付着した水分について吸水及び水切りをする食器用ドライングボード２である。食器用ドライングボード２は、珪藻土を出発原料に含み繊維質を混入させ蛭石とケイ酸カルシウムを主原料とする厚さ９．５ｍｍの平板からなり、平板の表面には、溝部１１の代わりに、一辺から対向する辺まで中央を通って一直線に設けた１本の溝部２１を有し、溝部２１が、幅５ｍｍ深さ１．０ｍｍである。食器用ドライングボード２は、平面視長方形であり、本実施例では、長辺２９５ｍｍ、短辺２４０ｍｍであるが、これに限らない。
【００２６】
本実施例の食器用ドライングボード２によれば、食器類を載置した際に、荷重が全体に渡って分散するので割れにくく耐久性に優れる。また、吸水性に優れた平板と、その上に載置した食器類との接触面が広いので、効率よく吸水できる。また同時に、溝部が一筋設けてあることで、載置した食器類から大量の水が流下した際に、水滴が載置した容器との接触面で溜まることなく、溝部に流れて、吸水できない分は端部へ導いて流れ出させることができるため、より効率よく水切りができる。したがって、濡れた食器を食器用ドライングボード２の上に置いておくことで、食器が早く乾く。食器用ドライングボード２では、さらに溝部が中央に設けてあるので、食器の大小に関わらず水切り効果を奏することができるし、複数本設けず、１本のみとすることで水切り性を確保したまま耐久性も保持できる。また、大きさのわりに軽量で、立て掛けたり、持ち運びをすることが容易である。
【００２７】
その他の構成及び効果は、本考案の実施例１のコースター１と同じである。
【実施例４】
【００２８】
図７は、本考案の実施例４のバスマットの斜視図である。本実施例は、食器に付着した水分について吸水及び水切りをするバスマット３である。バスマット３は、本実施例では、長辺８８０ｍｍ、短辺５３０ｍｍであるが、これに限らない。
【００２９】
本実施例のバスマット３によれば、人間がバスマット３に乗った際に、荷重が全体に渡って分散するので割れにくく耐久性に優れる。また、吸水性に優れた平板と、足裏との接触面が広いので、効率よく吸水できる。また同時に、溝部が一筋設けてあることで、風呂上りで体から大量の水が流下した際に、水滴が載置した容器との接触面で溜まることなく、溝部に流れて、吸水できない分は端部へ導いて流れ出させることができるため、より効率よく水切りができ、さらに溝部が中央に設けてあることで、大人でも子供でも足の大きさに関わらず水切り効果を奏することができるし、複数本設けず、１本のみとすることで水切り性を確保したまま耐久性も保持できるし、接する面積が広いのでバランスを崩しにくく安定する。また溝部３１が十分狭いので、足指が溝部３１にはまるなどの事故も防止できる。
【００３０】
その他の構成及び効果は、本考案の実施例３の食器用ドライングボード２と同じである。
【００３１】
家庭で用いられている、コースター、食器用ドライングボード、バスマットといった家庭用水切り用品について、量産材を利用した共通の材料を用いて、いずれの使用シーンにも適合する構造によって、丈夫で、デザイン性と水切りの良さと吸水性・耐久性を兼ね備え、コストも抑えることができる。
【００３２】
なお、本考案は、上記実施の形態に限定されず、その考案の趣旨を逸脱しない範囲で種々と変形実施が可能である。
【符号の説明】
【００３３】
１、１´    コースター
１１、１１´  溝部
１２、１２´  細溝部
２    食器用ドライングボード
２１  溝部
２２  細溝部
３    バスマット
３１  溝部
３２  細溝部
【図１】
0003204281.tif 000003
【図２】
0003204281.tif 000004
【図３】
0003204281.tif 000005
【図４】
0003204281.tif 000006
【図５】
0003204281.tif 000007
【図６】
0003204281.tif 000008
【図７】
0003204281.tif 000009